(57)【要約】      （修正有）【課題】入力キーの操作に不慣れな利用者であっても、送信情報を種々の送信種別で簡単に所望の送信先に送信することができる情報送信装置を提供する。【解決手段】デジタルペン１００を用いて、送信情報、送信者識別情報、送信種別情報および送信先番号情報を送信情報記入用紙１０の各記入エリアに記入する。この時、筆圧センサとカメラによって、デジタルペン１００の筆跡情報が検出される。筆跡情報はパソコン１１０を介して管理装置１６０に送信される。管理装置１６０はデジタルペン１００の筆跡情報に基づいて、送信情報記入用紙１０に記入された送信情報と、送信者識別情報、送信種別情報および送信先番号情報を含む送信先参照情報を判別し、判別した送信先判別情報に対応させて送信先ファイルに記憶されている送信先情報を読み出す。判別した送信情報を読み出した送信先情報で示される送信先に判別した送信種別情報で示される送信種別で送信する。【選択図】図１
2010239247.tif 000002
【特許請求の範囲】
【請求項１】
送信情報を送信する情報送信装置であって、
送信情報記入用紙と、デジタルペンと、管理装置を備えており、
前記送信情報記入用紙には、送信情報が記入される送信情報記入エリア、送信者を示す送信者識別情報が記入される送信者識別情報記入エリア、送信種別を示す送信種別情報が記入される送信種別情報記入エリアが設けられており、
前記デジタルペンは、筆跡情報検出手段と、デジタルペン用通信手段と、デジタルペン用処理手段を有しており、
前記筆跡情報検出手段は、前記デジタルペンを用いて前記送信情報記入用紙に記入した時の、前記送信情報記入用紙上における前記デジタルペンの筆跡を示す筆跡情報を検出し、
前記デジタルペン用処理手段は、前記筆跡情報検出手段で検出した筆跡情報を前記デジタルペン用通信手段から前記管理装置に送信し、
前記管理装置は、管理装置用通信手段と、管理装置用処理手段と、管理装置用記憶手段を有しており、
前記管理装置用記憶手段には、ＦＡＸを送信する送信先を示すＦＡＸ送信先情報が、送信者識別情報およびＦＡＸの送信を示すＦＡＸ送信種別情報に対応させて記憶されており、メールを送信する送信先を示すメール送信先情報が、送信者識別情報およびメールの送信を示すメール送信種別情報に対応させて記憶されており、音声を送信する送信先を示す音声送信先情報が、送信者識別情報および音声の送信を示す音声送信種別情報に対応させて記憶されており、また、前記送信情報記入用紙に設けられている記入エリアと記入エリアに記入される情報との関係を示すエリア定義情報が記憶されており、
前記管理装置用処理手段は、
前記デジタルペンから送信された筆跡情報を前記管理装置用通信手段で受信し、
前記管理装置用通信手段で受信した筆跡情報と前記管理装置用記憶手段に記憶されているエリア定義情報に基づいて、前記デジタルペンを用いて前記送信情報記入用紙に設けられている送信情報記入エリアに記入された送信情報、送信者識別情報記入エリアに記入された送信者識別情報および送信種別情報記入エリアに記入された送信種別情報を含む送信先情報参照情報を判別し、
前記判別した送信種別情報がＦＡＸ送信種別情報である場合には、前記判別した送信者識別情報およびＦＡＸ送信種別情報に対応させて前記管理装置用記憶手段に記憶されているＦＡＸ送信先情報で示される送信先に、前記判別した送信情報を前記管理装置用通信手段から送信し、
前記判別した送信種別情報がメール送信種別情報である場合には、前記判別した送信者識別情報およびメール送信種別情報に対応させて前記管理装置用記憶手段に記憶されているメール送信先情報で示される送信先に、前記判別した送信情報を前記管理装置用通信手段から送信し、
前記判別した送信種別情報が音声送信種別情報である場合には、前記判別した送信者識別情報および音声送信種別情報に対応させて前記管理装置用記憶手段に記憶されている音声送信先情報で示される送信先に、前記判別した送信情報を前記管理装置用通信手段から送信する
ことを特徴とする情報送信装置。
【請求項２】
請求項１に記載の情報送信装置であって、
前記管理装置は、筆跡情報をイメージ情報に変換するイメージ情報変換手段と、イメージ情報をテキスト情報に変換するテキスト情報変換手段と、テキスト情報を音声情報に変換する音声情報変換手段を有しており、
前記管理装置用処理手段は、
前記判別した送信種別情報がＦＡＸ送信種別情報である場合には、前記イメージ情報変換手段によりイメージ情報に変換された送信情報を送信し、
前記判別した送信種別情報がメール送信種別情報である場合には、前記イメージ情報変換手段および前記テキスト情報変換手段によりテキスト情報に変換された送信情報を送信し、
前記判別した送信種別情報が音声送信種別情報である場合には、前記イメージ情報変換手段、前記テキスト情報変換手段および前記音声情報変換手段により音声情報に変換された送信情報を送信する
ことを特徴とする情報送信装置。
【請求項３】
請求項１または２に記載の情報送信装置であって、
前記送信情報記入用紙には、送信先識別情報が記入される送信先識別情報記入エリアが設けられており、
前記管理装置用記憶手段には、ＦＡＸ送信先情報が、送信者識別情報、ＦＡＸ送信種別情報および送信先識別情報に対応させて記憶されており、メール送信先情報が、送信者識別情報、メール送信種別情報および送信先識別情報に対応させて記憶されており、音声送信先情報が、送信者識別情報、音声送信種別情報および送信先識別情報に対応させて記憶されており、
前記管理装置用処理手段は、前記送信情報記入用紙に設けられている送信者識別情報記入エリアに記入された送信者識別情報、送信種別情報記入エリアに記入された送信種別情報および送信先識別情報記入エリアに記入された送信先識別情報を含む送信先情報参照情報を判別し、
前記判別した送信種別情報がＦＡＸ送信種別情報である場合には、前記判別した送信情報を、前記判別した送信者識別情報、ＦＡＸ送信種別情報および送信先識別情報に対応させて前記管理装置用記憶手段に記憶されているＦＡＸ送信先情報で示される送信先に送信し、
前記判別した送信種別情報がメール送信種別情報である場合には、前記判別した送信情報を、前記判別した送信者識別情報、メール送信種別情報および送信先識別情報に対応させて前記管理装置用記憶手段に記憶されているメール送信先情報で示される送信先に送信し、
前記判別した送信種別情報が音声送信種別情報である場合には、前記判別した送信情報を、前記判別した送信者識別情報、音声送信種別情報および送信先識別情報に対応させて前記管理装置用記憶手段に記憶されている音声送信先情報で示される送信先に送信することを特徴とする情報送信装置。
【請求項４】
請求項１〜３のいずれかに記載の情報送信装置であって、
前記管理装置用記憶手段には、記入エリアと記入エリアに記入される情報との関係を示すエリア定義情報が用紙の種別を示す用紙種別情報に対応させて記憶されており、
前記管理装置用処理手段は、前記管理装置用通信手段で受信した筆跡情報と前記管理装置用記憶手段に前記送信情報記入用紙の用紙種別情報に対応させて記憶されているエリア定義情報に基づいて、前記送信情報と送信先情報参照情報を判別する
ことを特徴とする情報送信装置。
【請求項５】
送信情報を送信する情報送信装置であって、
送信情報記入用紙と、デジタルペンを備えており、
前記送信情報記入用紙には、送信情報が記入される送信情報記入エリア、送信者を示す送信者識別情報が記入される送信者識別情報記入エリア、送信種別を示す送信種別情報が記入される送信種別情報記入エリアが設けられており、
前記デジタルペンは、筆跡情報検出手段と、デジタルペン用記憶手段と、デジタルペン用通信手段と、デジタルペン用処理手段を有しており、
前記筆跡情報検出手段は、当該デジタルペンを用いて前記送信情報記入用紙に記入した時の、前記送信情報記入用紙上における前記デジタルペンの筆跡を示す筆跡情報を検出し、
前記デジタルペン用記憶手段には、ＦＡＸを送信する送信先を示すＦＡＸ送信先情報、メールを送信する送信先を示すメール送信先情報および音声を送信する送信先を示す音声送信先情報の少なくとも１つが、前記ＦＡＸ送信先情報は、送信者識別情報およびＦＡＸの送信を示すＦＡＸ送信種別情報に対応させて、前記メール送信先情報は、送信者識別情報およびメールの送信を示すメール送信種別情報に対応させて、前記音声送信先情報は、送信者識別情報および音声の送信を示す音声送信種別情報に対応させて記憶されており、また、前記送信情報記入用紙に設けられている記入エリアと記入エリアに記入される情報との関係を示すエリア定義情報が記憶されており、
前記デジタルペン用処理手段は、
前記筆跡情報検出手段で検出した筆跡情報と前記デジタルペン用記憶手段に記憶されているエリア定義情報に基づいて、当該デジタルペンを用いて前記送信情報記入用紙に設けられている送信情報記入エリアに記入された送信情報、送信者識別情報記入エリアに記入された送信者識別情報および送信種別情報記入エリアに記入された送信種別情報を含む送信先情報参照情報を判別し、
前記判別した送信種別情報がＦＡＸ送信種別情報である場合には、前記判別した送信者識別情報およびＦＡＸ送信種別情報に対応させて前記デジタルペン用記憶手段に記憶されているＦＡＸ送信先情報で示される送信先に、前記判別した送信情報を前記デジタルペン用通信手段から送信し、
前記判別した送信種別情報がメール送信種別情報である場合には、前記判別した送信者識別情報およびメール送信種別情報に対応させて前記デジタルペン用記憶手段に記憶されているメール送信先情報で示される送信先に、前記判別した送信情報を前記デジタルペン用通信手段から送信し、
前記判別した送信種別情報が音声送信種別情報である場合には、前記判別した送信者識別情報および音声送信種別情報に対応させて前記デジタルペン用記憶手段に記憶されている音声送信先情報で示される送信先に、前記判別した送信情報を前記デジタルペン用通信手段から送信する
ことを特徴とする情報送信装置。
【発明の詳細な説明】
【技術分野】
【０００１】
本発明は、送信情報を送信する情報送信装置に関し、特に、デジタルペンを入力手段として用いた情報送信装置に関する。
【背景技術】
【０００２】
送信情報を送信する方法としては、送信情報を手書きで記入して郵送する方法や、パソコンや携帯電話機等の端末装置を用いてメールで送信する方法等が用いられている。端末装置を用いて送信情報を送信する方法は、迅速に送信情報を送信することができるが、端末装置の入力キーを操作して送信情報等を入力する必要があるため、端末装置の入力キーの操作に不慣れな利用者に敬遠されていた。
近年、入力情報を入力する手法としてデジタルペンを用いて入力する手法が開発されている。このデジタルペンを用いることにより、筆記具を用いて手書きで記入する感覚で入力情報を入力することができ、端末装置の入力キーの操作に不慣れな利用者であっても容易に入力情報を入力することができる。（特許文献１参照）
【先行技術文献】
【特許文献】
【０００３】
【特許文献１】特開２００６−２８５５１６号公報
【発明の概要】
【発明が解決しようとする課題】
【０００４】
送信情報を送信する情報送信装置において、送信情報の入力操作を容易にするために。送信情報の入力手段としてデジタルペンを用いることが考えられる。しかしながら、入力手段としてデジタルペンを用いるだけでは、送信情報を送信する操作が十分に簡略化されているとはいえない。
本発明は、このような点に鑑みて創案されたものであり、端末装置の入力キーの操作に不慣れな利用者であっても、送信情報を種々の送信種別で簡単に所望の送信先に送信することができる情報送信装置を提供することを目的とする。
【課題を解決するための手段】
【０００５】
一発明は、送信情報記入用紙と、デジタルペンと、管理装置を備える情報送信装置である。
送信情報記入用紙には、送信情報を送信するのに必要な情報が記入される記入エリアが設けられている。本発明では、送信情報記入エリア、送信者識別情報記入エリア、送信種別情報記入エリアが設けられている。送信情報記入エリアには、文字、記号、絵、図、グラフ等を用いて送信情報が記入される。送信者識別情報記入エリアには、送信者を識別する送信者識別情報、例えば、送信者の番号を示す送信者番号情報や、送信者名を示す送信者名情報が記入される。送信者識別情報記入エリアに送信者識別情報を記入する方法としては、例えば、送信者識別情報記入エリアに送信者識別情報を構成する文字情報（文字、数字、記号等を含む）を記入する方法や、送信者識別情報を構成可能な文字情報に対応する部分送信者識別情報記入エリア（例えば、数字０〜９に対応する部分送信者識別情報記入エリア）を設け、送信者識別情報を構成する文字情報それぞれに対応する部分送信者識別情報記入エリアに、文字情報の出現順にチェック記号（例えば、「レ点」、「○印」、「×印」）を記入する方法を用いることができる。送信情報記入用紙としては、デジタルペンを用いて送信情報記入用紙の各エリアに情報を記入している時に、送信情報記入用紙の記入面上におけるデジタルペンの筆跡を示す筆跡情報（位置情報の推移状態）を検出することができる種々の用紙を用いることができる。例えば、送信情報記入用紙の記入面に、記入面上の位置（絶対座標位置）を示す位置情報を出力する位置情報出力手段が設けられている用紙が用いられる。
デジタルペンは、筆跡情報検出手段と、デジタルペン用通信手段と、デジタルペン用処理手段を有している。筆跡情報検出手段は、デジタルペンを用いて送信情報記入用紙の各記入エリアに情報を記入している時に、送信情報記入用紙の記入面上におけるデジタルペンの先端部分（情報を記入している部分）の位置の軌跡（筆跡）を示す筆跡情報を検出する。例えば、送信情報記入用紙の記入面上における設定時間毎の絶対位置情報を筆跡情報として検出する。デジタルペン用通信手段は、管理装置と通信する通信手段であり、例えば、管理装置と通信可能な端末装置（パソコン、携帯電話機、携帯端末装置（ＰＤＡ）等）と通信する通信手段が用いられる。端末装置と通信する通信手段としては、例えば、近距離無線通信回線（例えば、１〜２ｍ以内）を介して通信を行う通信手段や、通信線を介して通信を行う通信手段が用いられる。なお、管理装置と直接に通信可能な通信手段を用いることもできる。デジタルペン用処理手段は、筆跡情報検出手段で検出した筆跡情報を、デジタルペン用通信手段を用いて管理装置に送信する。筆跡情報を送信する方法としては、筆跡情報検出手段によって検出された筆跡情報を記憶手段に記憶し、まとめて送信する方法や、随時送信する方法を用いることができる。
管理装置は、管理装置用通信手段と、管理装置用処理手段と、管理装置用記憶手段を有している。
管理装置用通信手段は、デジタルペン、端末装置や送信先と通信する通信手段であり、デジタルペン、端末装置や送信先の通信手段の仕様に対応した適宜の通信手段が用いられる。
管理装置用記憶手段には、送信情報を送信する送信先情報が送信者識別情報に対応させて記憶されている。本発明では、ＦＡＸを送信する送信先を示すＦＡＸ送信先情報が、送信者識別情報およびＦＡＸ送信種別情報に対応させて記憶されており、メールの送信先を示すメール送信先情報が、送信者識別情報およびメール送信種別情報に対応させて記憶されており、音声の送信先を示す音声送信先情報が、送信者識別情報および音声送信種別情報に対応させて記憶されている。また、管理装置用記憶手段には、デジタルペンを用いて送信情報記入用紙に設けられている記入エリアに記入された情報を判別するために、送信情報記入用紙に設けられている記入エリアと記入エリアに記入される情報との関係を示すエリア定義情報が記憶されている。なお、記入エリアと送信情報記入用紙の記入面上における記入エリアの位置（絶対座標位置）との関係を示すエリア定義情報も記憶させておくのが好ましい。
管理装置用処理手段は、管理装置用通信手段で受信した筆跡情報と管理装置用記憶手段に記憶されているエリア定義情報に基づいて、デジタルペンを用いて送信情報記入用紙の各記入エリアに記入された情報を判別する。本発明では、送信情報記入エリアに記入された送信情報、送信者識別情報記入エリアに記入された送信者識別情報、送信種別情報記入エリアに記入された送信種別情報を判別する。なお、送信者識別情報と送信種別識別情報は、送信先情報を抽出するための送信先情報参照情報として用いられる。そして、判別した送信種別情報がＦＡＸ送信種別情報である場合には、判別した送信者識別情報およびＦＡＸ送信種別情報に対応させて管理装置用記憶手段に記憶されているＦＡＸ送信先情報で示される送信先に、判別した送信情報を管理装置用通信手段から送信する。また、判別した送信種別情報がメール送信種別情報である場合には、判別した送信者識別情報およびメール送信種別情報に対応させて管理装置用記憶手段に記憶されているメール送信先情報で示される送信先に、判別した送信情報を管理装置用通信手段から送信する。また、判別した送信種別情報が音声送信種別情報である場合には、判別した送信者識別情報および音声送信種別情報に対応させて管理装置用記憶手段に記憶されている音声送信先情報で示される送信先に、判別した送信情報を管理装置用通信手段から送信する。
本発明では、デジタルペンを用いて、送信情報記入用紙に設けられている送信情報記入エリアに送信情報、送信者識別情報記入エリアに送信者識別情報、送信種別情報記入エリアに送信種別情報を手書きで記入することによって、所望の送信情報を、所望の送信方法で、所望の送信先に簡単に送信することができる。
なお、本明細書では、「デジタルペン用」、「管理装置用」という記載は、単に、デジ２２２タルペンあるいは管理装置に設けられていることを区別するために用いている。
【０００６】
一発明の異なる形態では、管理装置は、筆跡情報をイメージ情報に変換するイメージ情報変換手段と、イメージ情報をテキスト情報に変換するテキスト情報変換手段と、テキスト情報を音声情報に変換する音声情報変換手段を有している。「イメージ情報」は、デジタル化された画像情報を意味し、「テキスト情報」は、デジタル化された文字情報（文字、数字、アルファベット、記号等を含む）を意味する。イメージ変換手段は、例えば、筆跡情報が、送信情報記入用紙の記入面上における絶対座標情報と時間情報を組み合わせた情報（座標情報，時間情報）により構成されている場合には、ドットを座標情報で示される位置に時間情報で示される時間順に配置することによって、筆跡情報をイメージ情報に変換する。テキスト情報変換手段は、公知の方法を用いて、イメージ情報をテキスト情報に変換する。音声情報変換手段は、公知の方法を用い、テキスト情報を音声情報に変換する。そして、管理装置用処理手段は、判別した送信種別情報がＦＡＸ送信種別情報である場合には、イメージ情報変換手段によりイメージ情報に変換された送信情報（イメージ情報の形式の送信情報）を送信する。また、判別した送信種別情報がメール送信種別情報である場合には、イメージ情報変換手段およびテキスト情報変換手段によりテキスト情報に変換された送信情報（テキスト情報の形式の送信情報）を送信する。また、判別した送信種別情報が音声送信種別情報である場合には、イメージ情報変換手段、テキスト情報変換手段および音声情報変換手段により音声情報に変換された送信情報（音声情報の形式の送信情報）を送信する。
本形態では、送信情報記入用紙に記入された送信情報を、送信種別（ＦＡＸ送信、メール送信、音声装置）に対応する形式に変換して送信するため、送信先での変換処理が不要となる。
【０００７】
一発明の他の形態では、送信情報記入用紙には、送信先識別情報記入エリアが設けられている。送信先識別情報記入エリアには、送信先を識別する送信先識別情報、例えば、送信先番号を示す送信先番号情報等が記入される。送信先識別情報を記入する方法としては、例えば、前述した、送信者識別情報を記入する方法と同様の方法を用いることができる。本形態では、送信者識別情報、送信種別情報および送信先識別情報が送信先情報参照情報として用いられる。また、管理装置用記憶手段には、ＦＡＸ送信先情報が、送信者識別情報、ＦＡＸ送信種別情報および送信先識別情報に対応させて記憶されており、メール送信先情報が、送信者識別情報、メール送信種別情報および送信先識別情報に対応させて記憶されており、音声送信先情報が、送信者識別情報、音声送信種別情報および送信先識別情報に対応させて記憶されている。
管理装置用処理手段は、送信情報記入用紙に設けられている送信情報記入エリアに記入された送信情報と、送信者識別情報記入エリアに記入された送信者識別情報、送信種別情報記入エリアに記入された送信種別情報および送信先識別情報記入エリアに記入された送信先識別情報を含む送信先情報参照情報を判別する。そして、判別した送信種別情報がＦＡＸ送信種別情報である場合には、判別した送信者識別情報、ＦＡＸ送信種別情報および送信先識別情報に対応させて管理装置用記憶手段に記憶されているＦＡＸ送信先情報で示される送信先に、判別した送信情報を送信する。また、判別した送信種別情報がメール送信種別情報である場合には、判別した送信者識別情報、メール送信種別情報および送信先識別情報に対応させて管理装置用記憶手段に記憶されているメール送信先情報で示される送信先に、判別した送信情報を送信する。また、判別した送信種別情報が音声送信種別情報である場合には、判別した送信者識別情報、音声送信種別情報および送信先識別情報に対応させて管理装置用記憶手段に記憶されている音声送信先情報で示される送信先に、判別した送信情報を送信する。
本形態では、複数のＦＡＸ送信先、複数のメール送信先、複数の音声送信先の中から所望の送信先を容易に選択することができる。
【０００８】
一発明のさらに他の形態では、管理装置用記憶手段には、記入エリアと記入エリアに記入される情報との関係を示すエリア定義情報が用紙の種別を示す用紙種別情報に対応させて記憶されている。そして、管理装置用処理手段は、管理装置用通信手段で受信した筆跡情報と管理装置用記憶手段に送信情報記入用紙の用紙種別情報に対応させて記憶されているエリア定義情報に基づいて、送信情報と送信先情報参照情報を判別する。送信情報記入用紙の用紙種別を判別する方法としては、適宜の方法を用いることができる。例えば、用紙に設けられている位置情報出力手段から出力される位置情報が、用紙によって異なっている場合には、筆跡情報に基づいて用紙の種別を判別することができる。
本形態では、共通の管理装置によって複数の種別の用紙を処理することができる。
【０００９】
他の発明は、送信情報記入用紙と、デジタルペンを備えている情報送信装置である。
送信情報記入用紙には、前述した送信情報記入エリア、送信者識別情報記入エリア、送信種別情報記入エリアが設けられている。
デジタルペンは、筆跡情報検出手段と、デジタルペン用記憶手段と、デジタルペン用通信手段と、デジタルペン用処理手段を有している。筆跡情報検出手段は、前述した筆跡情報を検出する。
デジタルペン用記憶手段には、ＦＡＸ送信先情報、メール送信先情報および音声送信先情報の少なくとも１つが記憶されている。ＦＡＸ送信先情報は、送信者識別情報およびＦＡＸ送信種別情報に対応させて、メール送信先情報は、送信者識別情報およびメール送信種別情報に対応させて、音声送信先情報は、送信者識別情報および音声送信種別情報に対応させて記憶されている。また、記入エリアと記入エリアに記入される情報との関係を示すエリア定義情報が記憶されている。なお、ＦＡＸ送信先情報、メール送信先情報、音声送信先情報は、さらに送信先識別情報に対応させて記憶させてもよい。
デジタルペン用処理手段は、筆跡情報検出手段で検出した筆跡情報とデジタルペン用記憶手段に記憶されているエリア定義情報に基づいて、デジタルペンを用いて送信情報記入用紙に記入された送信情報と、送信者識別情報および送信種別情報を含む送信先情報参照情報を判別する。そして、判別した送信種別情報がＦＡＸ送信種別情報である場合には、判別した送信者識別情報およびＦＡＸ送信種別情報に対応させてデジタルペン用記憶手段に記憶されているＦＡＸ送信先情報で示される送信先に、判別した送信情報をデジタルペン用通信手段から送信する。また、判別した送信種別情報がメール送信種別情報である場合には、判別した送信者識別情報およびメール送信種別情報に対応させてデジタルペン用記憶手段に記憶されているメール送信先情報で示される送信先に、判別した送信情報をデジタルペン用通信手段から送信する。また、判別した送信種別情報が音声送信種別情報である場合には、判別した送信者識別情報および音声送信種別情報に対応させてデジタルペン用記憶手段に記憶されている音声送信先情報で示される送信先に、判別した送信情報をデジタルペン用通信手段から送信する。デジタルペン用通信手段は、送信先の通信手段に対応した適宜の通信手段が用いられる。
本発明では、デジタルペンから送信先に送信情報を送信することができるため、情報送信装置の構成を簡略化することができる。
【発明の効果】
【００１０】
請求項１〜５に記載されている情報送信装置を用いることにより、端末装置の入力キーの操作に不慣れな利用者であっても、送信情報を種々の送信方法で簡単に所望の送信先に送信することができる。
【図面の簡単な説明】
【００１１】
【図１】第１の実施の形態の概略構成を示す図である。
【図２】デジタルペンの概略構成を示す図である。
【図３】送信情報記入用紙の一例を示す図である。
【図４】第１の実施の形態で用いられるＰＬＳサーバの概略構成を示す図である。
【図５】第１の実施の形態で用いられるＡＳＨサーバの概略構成を示す図である。
【図６】送信先ファイルの一例を示す図である。
【図７】第１の実施の形態で用いられるデジタルペンの動作を説明するフローチャートである。
【図８】第１の実施の形態で用いられるＰＬＳサーバの動作を説明するフローチャートである。
【図９】第１の実施の形態で用いられるＡＳＨサーバの動作を説明するフローチャートである。
【図１０】第２の実施の形態の概略構成を示す図である。
【図１１】送信者識別情報の他の実施例を説明する図である。
【図１２】送信者識別情報の他の実施例を説明する図である。
【発明を実施するための形態】
【００１２】
以下に、本発明の実施の形態を、図面を参照して説明する。
なお、本明細書では、「デジタルペン用」、「端末装置用」、「管理装置用」、「ＰＬＳサーバ用」、「ＡＳＨサーバ用」等の記載は、単に、デジタルペン、端末装置、管理装置、ＰＬＳサーバ、ＡＳＨサーバに設けられていることを表すためにのみ用いられている。
図１は、本発明の情報送信装置の第１の実施の形態の概略構成を示す図である。
本実施の形態の情報送信装置は、送信情報記入用紙１０、デジタルペン１００、パソコン１１０、管理装置１６０により構成される。なお、図１には、送信先の通信機器の例として、メールあるいは音声の送信先であるパソコン２１０、ＦＡＸの送信先であるファクシミリ２２０、音声の送信先である電話機２３０、メールあるいは音声の送信先である携帯電話機２４０が記載されている。
【００１３】
送信情報記入用紙１０としては、デジタルペン１００によって情報が手書きで記入されている時に、送信情報記入用紙１０の記入面１０Ａ上におけるデジタルペン１００の先端部分（情報を記入している部分）の筆跡を示す筆跡情報（「ストローク情報」ともいう）を検出することができる種々の用紙を用いることができる。
本実施の形態では、図２に示されているように、送信情報記入用紙１０の記入面（情報が記入される面）１０Ａには、設定間隔（例えば、０．３ｍｍ間隔）で格子状にドットが印刷されている。ドットは、横線（ｘ軸：ｘ１〜ｘ６）と縦線（ｙ軸：ｙ１〜ｙ６）との交点の位置ではなく、交点から上下左右にずれた位置に印刷されている。この場合、上下左右のどの方向にずれているかによって、一つのドットは４通りの情報、すなわち２ビットの情報を表す。例えば、交点から右にずれている時には２ビット［００］、上にずれている時には２ビット［０１］、左にずれている時には２ビット［１０］、下にずれている時には２ビット［１１］を表す。さらに、本実施の形態では、［６×６ドット］を一まとめにしたドットパターン（１．８ｍｍ×１．８ｍｍ）を一つの単位として用いている。この場合、［６×６ドット］のドットパターンの組み合わせの数は、例えば、４の３６乗通りとなる。そして、送信情報記入用紙１０の記入面１０Ａ全体に、異なる組み合わせのドットパターンが印刷されている（記入面１０Ａ上に同じ組み合わせのドットパターンが印刷されていない）。したがって、送信情報記入用紙１０の記入面１０Ａに印刷されているドットパターン［６×６ドット］に基づいて、送信情報記入用紙１０の記入面１０Ａ上における位置（基準位置に対するｘ座標およびｙ座標を有する絶対座標位置）を判別することができる。
なお、ドットは、人の目に見えないように、カーボンインク等の特殊なインクによって印刷される。これにより、送信情報記入用紙１０の記入面１０Ａに記入された情報を容易に確認することができる。
【００１４】
送信情報記入用紙１０の記入面１０Ａには、図３に示されているように、文字情報等が印刷されているとともに、デジタルペン１００を用いて情報が記入される記入エリアが設けられている。なお、本明細書では、「文字情報」は、文字、数字、アルファベット、記号等を含むものとして用いている。
図３では、文字情報「タイトル」が印刷されているとともに、タイトルを示すタイトル情報が記入されるタイトル情報記入エリア１１が設けられている。
また、文字情報「送信者」が印刷されているとともに、送信者を示す送信者識別情報が記入される送信者識別情報記入エリア１２が設けられている。送信者識別情報としては、送信者を識別可能な情報、例えば、送信者番号を示す送信者番号情報、送信者名を示す送信者名情報等を用いることができる。送信者識別情報記入エリアに送信者識別情報を記入する方法としては、例えば、送信者識別情報記入エリアに、送信者識別情報を構成する文字情報を記入する方法や、送信者識別情報を構成可能な文字情報に対応する部分送信者識別情報記入エリア（例えば、数字０〜９やアルファベットＡ〜Ｚに対応する部分送信者識別情報記入エリア）を設け、送信者識別情報を構成する文字情報それぞれに対応する部分送信者識別情報記入エリアに、文字情報の出現順にチェック記号（例えば、「レ」点、「○」印、「×」印）を記入する方法を用いることができる。図３では、送信者識別情報記入エリア１２に、送信者識別情報を構成する文字情報が記入される。
また、文字情報「送信種別」が印刷されているとともに、送信種別を示す送信種別情報が記入される送信種別情報記入エリア１３が設けられている。図３では、送信種別情報記入エリア１３は、ＦＡＸ送信を示すＦＡＸ送信種別情報が記入されるＦＡＸ送信種別情報記入エリア１３Ａ、メール送信を示すメール送信種別情報が記入されるメール送信種別情報記入エリア１３Ｂ、音声送信を示す音声送信種別情報記入エリア１３Ｃ等の部分送信種別情報記入エリアを有している。図３では、送信種別情報を記入する場合には、ＦＡＸ送信種別情報記入エリア１３Ａ、メール送信種別情報記入エリア１３Ｂ、音声送信種別情報記入エリア１３Ｃにチェック記号（例えば、「レ」点、「○」印、「×」印）を記入する。なお、送信種別情報記入エリアに、ＦＡＸ送信種別を示す文字情報「ＦＡＸ」、メール送信種別を示す文字情報「メール」、音声送信種別を示す文字情報「音声」等を記入する方法を用いることもできる。
また、文字情報「送信先番号」が印刷されているとともに、送信先を示す送信先識別情報が記入される送信先識別情報記入エリア１４が設けられている。送信先識別情報としては、例えば、送信先番号を示す送信先番号情報が用いられる。図３では、送信先識別情報記入エリア１４は、送信先番号「１」を示す送信先番号「１」情報が記入される送信先番号「１」情報記入エリア１４Ａ、送信先番号「２」を示す送信先番号「２」情報が記入される送信先番号「２」情報記入エリア１４Ｂ、送信先番号「３」を示す送信先番号「３」情報が記入される送信先番号「３」情報記入エリア１４Ｃ等の個別送信先識別情報記入エリアを有している。図３では、送信先番号情報（送信先識別情報）を記入する場合には、送信先番号「１」情報記入エリア１４Ａ、送信先番号「２」情報記入エリア１４Ｂ、送信先番号「３」情報記入エリア１４Ｃにチェック記号（例えば、「レ」点、「○」印、「×」印）を記入する。なお、送信先識別情報記入エリアに、送信先を識別する文字情報（例えば、数字０〜９）を記入する方法を用いることもできる。
また、文字情報「「送信内容」が印刷されているとともに、送信情報が記入される送信情報記入エリア１５が設けられている。
本実施の形態では、送信者識別情報記入エリア１２に記入される送信者識別情報、送信種別情報記入エリア１３（１３Ａ、１３Ｂ、１３Ｃ）に記入される送信種別情報（ＦＡＸ送信種別情報、メール送信種別情報、音声送信種別情報）および送信番号情報記入エリア（送信先識別情報記入エリア）１４（送信番号「１」情報記入エリア１４Ａ、送信番号「２」記入エリア１４Ｂ、送信番号「３」記入エリア１４Ｃ）に記入される送信先番号情報（送信先識別情報）によって、送信先情報を抽出するための送信先情報参照情報が構成される。
【００１５】
送信情報記入用紙１０の記入面１０Ａに記入されている情報の種類（例えば、送信情報、送信者識別情報、送信種別情報、送信先識別情報）は、記入面１０Ａ上における情報の記入位置、記入エリアと記入エリアに記入される情報との対応関係に基づいて判別することができる。記入面１０Ａ上における情報の記入位置は、デジタルペンの先端部分が記入面１０Ａに当接している個所に印刷されているドットパターンを検出することによって判別することができる。また、記入エリアと記入エリアに記入される情報との関係、記入エリアと記入面１０Ａ上における記入エリアの位置（絶対座標位置）との関係は、後述するエリアファイル１５２Ａ（図５参照）にエリア定義情報として記憶されている。
なお、複数の種別の用紙が使用される場合には、用紙の種別によってエリア定義情報が異なる。このような場合には、エリアファイル１５２Ａには、用紙の種別を示す用紙種別情報に対応させてエリア定義情報が記憶される。
用紙種別を判別する方法としては、適宜の方法を用いることができる。例えば、異なる種別の用紙には、異なる組み合わせのドットパターンを印刷する。この場合、ドットパターンは、用紙の記入面上における位置（絶対座標位置）を示すとともに、用紙の種別をも示している。このようなドットパターンが印刷されている場合には、用紙の記入面に印刷されている少なくとも１つのドットパターンに基づいて用紙の種別を判別することができる。
【００１６】
デジタルペン１００は、図２に示されているように、筆記具１０１、筆圧センサ１０２、カメラ（撮像装置）１０３、処理装置１０４、記憶装置１０５、通信装置１０６を有している。
筆記具１０１は、送信情報記入用紙１０の記入面１０Ａに文字、記号、絵、図等の情報を記入するものである。筆記具１０１としては、送信情報記入用紙１０の記入面１０Ａに印刷されているドットパターンの読み取りに影響のないものが用いられる。例えば、ボールペン等の赤外線を吸収しないものが用いられる。
筆圧センサ１０２は、筆記具１０１に印加される圧力を検出する。筆圧センサ１０２としては、接触式あるいは非接触式の種々のセンサを用いることができる。筆圧センサ１０２の圧力検出結果に基づいて、筆記具１０１によって送信情報記入用紙１０の記入面１０Ａに情報が記入されているか否かを判別することができる。例えば、筆圧センサ１０２の検出圧力が設定値を超えている場合には、筆記具１０１によって送信情報記入用紙１０の記入面１０Ａに情報が記入されていることを判別する。
カメラ１０３は、筆記具１０１の先端部分（情報を記入している部分）の近傍の撮影範囲１０ａを撮影する。本実施の形態では、撮影範囲１０ａは、少なくとも［６×６ビット］のビットパターンを撮影可能な範囲に設定する。カメラ１０３としては、ＣＣＤカメラ等の種々のカメラを用いることができる。
【００１７】
処理装置１０４は、デジタルペン１００全体の動作を管理する。例えば、筆圧センサ１０２の検出圧力が設定値を超えている場合には、筆記具１０１を用いて記入面１０Ａに情報が記入されていることを判別し、カメラ１０３の撮像情報を設定時間間隔で記憶装置１０５に記憶する。これにより、記憶装置１０５には、デジタルペン１００（筆記具１０１）を用いて記入面１０Ａに情報の記入が開始されてから終了するまでの期間、カメラ１０３で撮影された撮影範囲１０ａ（筆記具１０１の先端部分の近傍に印刷されているドットパターン）の撮像情報が設定時間間隔で記憶される。前述したように、送信情報記入用紙１０の記入面１０Ａには異なる組み合わせのドットパターンが印刷されているため、撮像情報に含まれているドットパターンの組み合わせを判別することによって、記入面１０Ａ上の位置（絶対座標位置）を検出することができる。すなわち、記憶装置１０５に記憶されている、筆圧センサ１０２の検出圧力が設定値を超えた時点から設定値以下に低下した時点までの期間に撮影された各撮像情報は、デジタルペン１００を用いて記入面１０Ａに情報を記入している時の、記入面１０Ａ上におけるデジタルペン１００（筆記具１０１）の先端部分の位置（絶対座標位置）と時間を組み合わせた位置・時間情報（位置情報（絶対座標位置情報），時間情報）を表している。この位置・時間情報（位置情報（絶対座標位置情報），時間情報）に基づいて、ドットを、位置情報（絶対座標位置情報）で示される位置に、時間情報で示される時間の順に配置することによって、デジタルペン１００を用いて送信情報記入用紙１０の記入面１０Ａに情報を記入した時のデジタルペン１００の筆跡を示す筆跡情報（ストローク情報）を得ることができる。
【００１８】
また、処理装置１０４は、デジタルペン１００を用いて送信情報記入用紙１０の記入面１０Ａに情報を記入している時の筆跡情報を通信装置１０６から管理装置１６０に送信する。筆跡情報を管理装置１６０に送信する方法としては、検出した筆跡情報（カメラ１０３の撮像情報）を記憶装置１０５に一旦記憶し、その後、送信指示信号の入力によって記憶装置１０５に記憶されている筆跡情報を管理装置１６０に送信する方法や、筆跡情報（カメラ１０３の撮像情報）を随時管理装置１６０に送信する方法を用いることができる。
本実施の形態では、筆跡情報を、デジタルペン１００からパソコン１１０を介して管理装置１６０に送信するように構成されている。パソコン１００と通信を行う通信装置１０６としては、近距離無線通信回線（例えば、１〜２メートル以内の通信距離）Ｂを介してパソコン１１０の通信装置１１６と通信を行う通信装置が用いられる。例えば、Ｂｌｕｅｔｏｏｔｈ（登録商標）通信装置が用いられる。なお、通信装置１０６の無線通信距離は、近距離に限定されない。あるいは、通信線Ｃを介してパソコン１１０の通信装置１１６と通信を行う通信装置が用いられる。
本実施の形態では、処理装置１０４が本発明の「デジタルペン用処理手段」に対応し、通信装置１０６が本発明の「デジタルペン用通信手段」に対応する。また、筆圧センサ１０２、カメラ１０３、処理装置１０４によって本発明の「筆跡情報検出手段」が構成される。
【００１９】
パソコン１１０は、デジタルペン１００と管理装置１６０との間の通信を中継する中継装置として用いられている。パソコン１１０は、処理装置１１１、記憶装置１１２、表示装置１１３、入力装置１１４、通信装置１１５、１１６を有している。
通信装置１１５としては、ＬＡＮや電話回線等の通信回線Ｌを介して管理装置１６０（後述するＰＬＳサーバ１４０の通信装置１４５、ＡＳＨサーバ１５０の通信装置１５５）と通信可能な通信装置が用いられる。通信装置１１６としては、デジタルペン１００の通信装置１０６と通信可能な通信装置（通信装置１０６と同じ通信装置）が用いられる。
処理装置１１１は、パソコン１１０全体の動作を管理する。例えば、デジタルペン１００の通信装置１０６から送信された筆跡情報等を通信装置１１６で受信し、通信装置１１６で受信した筆跡情報等を、通信装置１１５から管理装置１６０（ＰＬＳサーバ１４０の通信装置１４５、ＡＳＨサーバ１５０の通信装置１５５）に送信する処理を実行する。あるいは、管理装置１６０（ＰＬＳサーバ１４０の通信装置１４５、ＡＳＨサーバ１５０の通信装置１５５）から送信された情報を通信装置１１５で受信し、通信装置１１５で受信した情報を、通信装置１１６からデジタルペン１００の通信装置１０６に送信する処理を実行する。
本実施の形態では、パソコン１１０が本発明の「端末装置」に対応し、処理装置１１１が本発明の「端末装置用処理手段」に対応し、通信装置１１６が本発明の「端末装置用第１の通信手段」に対応し、通信装置１１５が本発明の「端末装置用第２の通信手段」に対応する。
【００２０】
管理装置１６０は、ＰＬＳ（ペーパールックアップサービス）サーバ１４０とＡＳＨ（アプリケーションサービスハンドラ）サーバ１５０により構成されている。ＡＳＨサーバ１５０は、用紙の各記入エリアに記入されている情報の判別処理や、判別した情報に基づいた所定の処理（例えば、送信情報の送信処理）を実行する。ＰＬＳサーバ１４０は、各種別の用紙を処理するＡＳＨサーバ１５０を管理する。本実施の形態では、各種別の用紙を処理するＡＳＨサーバ１５０のアドレス情報を管理する。
【００２１】
ＰＬＳサーバ１４０は、図４に示されているように、処理装置１４１、記憶装置１４２、通信装置１４５を有している。本実施の形態では、処理装置１４１が本発明の「ＰＬＳサーバ用処理手段」に対応し、記憶装置１４２が本発明の「ＰＬＳサーバ用記憶手段」に対応し、通信装置１４５が本発明の「ＰＬＳサーバ用通信手段」に対応する。
通信装置１４５としては、端末装置であるパソコン１１０と通信可能な通信装置が用いられる。
記憶装置１４２には、ＡＳＨサーバファイル１４２Ａが記憶されている。ＡＳＨサーバファイル１４２Ａには、用紙の種別を示す用紙種別情報に対応させて、当該用紙種別情報で示される種別の用紙を処理するＡＳＨサーバ１５０のアドレス情報が記憶されている。また、前述したように、各用紙に異なる組み合わせのビットパターンを印刷する（複数の用紙に同じ組み合わせのビットパターンが印刷されていない）ことにより、用紙に印刷されている少なくとも一つのビットパターンの組み合わせを判別することによって、当該用紙の種別を判別することができる。本実施の形態では、ＡＳＨサーバファイル１４２Ａには、用紙種別情報に対応させて、当該用紙に印刷されているビットパターンの組み合わせが記憶されている。これにより、用紙に印刷されている少なくとも一つのビットパターンに基づいて当該用紙の種別を判別することができ、さらに、判別した種別の用紙を処理するＡＳＨサーバ１５０のアドレス情報を抽出することができる。
処理装置１４１は、ＡＳＨサーバ管理手段１４１Ａを有している。ＡＳＨサーバ管理手段１４１Ａは、デジタルペン１００（通信装置１０６）から送信されたＡＳＨサーバのアドレス情報要求信号を、パソコン１１０（通信装置１１６、１１５）を介して通信装置１４５で受信する。ＡＳＨサーバのアドレス情報要求信号には、デジタルペン１００を用いて送信情報記入用紙１０の記入面１０Ａに情報を記入している時に検出した筆跡情報を構成している少なくとも一つの映像情報（ビットパターンを撮像した映像情報）が含まれている。処理装置１４１は、この映像情報に含まれているビットパターンを判別し、判別したビットパターンが印刷されている送信情報記入用紙１０の種別、さらに、送信情報記入用紙１０を処理するＡＳＨサーバ１５０のアドレス情報をＡＳＨサーバファイル１４２Ａから判別する。そして、判別したＡＳＨサーバ１５０のアドレス情報を、通信装置１４５からパソコン（通信装置１１５、１１６）を介してデジタルペン１００（通信装置１０６）に送信する。
なお、用紙の種別を判別する方法としては、用紙に印刷されているビットパターンの組み合わせを判別する方法以外の種々の方法を用いることができる。
【００２２】
ＡＳＨサーバ１５０は、図５に示されているように、処理装置１５１、記憶装置１５２、通信装置１５５を有している。本実施の形態では、処理装置１５１が本発明の「ＡＳＨサーバ用処理手段」に対応し、記憶装置１５２が本発明の「ＡＳＨサーバ用記憶手段」に対応し、通信装置１５５が本発明の「ＡＳＨサーバ用通信手段」に対応する。
通信装置１５５としては、端末装置であるパソコン１１０や送信先（パソコン２１０、ファクシミリ２２０、電話機２３０、携帯電話機２４０）と通信可能な通信装置が用いられる。
記憶装置１５２には、エリアファイル１５２Ａ、テキスト情報変換ファイル１５２Ｂ、音声情報変換ファイル１５２Ｃ、送信先ファイル１５２Ｄが記憶されている。
エリアファイル１５２Ａには、送信情報記入用紙１０の記入面１０Ａに設けられているエリアとエリアに記入される情報との関係、エリアと送信情報記入用紙１０の記入面１０Ａ上におけるエリアの位置（絶対位置）との関係を示すエリア定義情報が記憶されている。
テキスト情報変換ファイル１５２Ｂには、イメージ情報をテキスト情報に変換する際に用いられる情報が記憶されている。なお、「テキスト情報」は、デジタル化された文字情報を意味する。
音声情報変換ファイル１５２Ｃには、テキスト情報を音声情報に変換する際に用いられる情報が記憶されている。
送信先ファイル１５２Ｄには、送信先を示す送信先情報が送信先情報参照情報に対応させて記憶されている。本実施の形態では、送信先情報参照情報として、送信者識別情報（送信者ＩＤ）、送信種別情報および送信先識別情報が用いられている。送信先ファイル１５２Ｄの一例を図６に示す。図６に示す送信先ファイル１５２Ｄでは、送信者識別情報として、送信者番号を示す送信者番号情報ｘ１、送信者名を示す送信者名情報ｘ２が用いられている。また、送信種別情報ｘ３として、ＦＡＸ送信を示すＦＡＸ送信種情報「ＦＡＸ」、メール送信を示すメール送信種別情報「メール」、音声送信を示す音声送信種別情報「音声」が用いられている。また、送信先識別情報として、送信先番号を示す送信先番号情報が用いられている。図６では、送信先番号「１」を示す送信先番号「１」情報ｘ４、送信先番号「２」を示す送信先番号「２」情報ｘ５、送信先番号「３」を示す送信先番号「３」情報ｘ６が用いられている。そして、送信者識別情報、送信種別識別情報（ＦＡＸ送信種別情報、メール送信種別情報、音声送信種別情報）および送信先番号情報（送信先識別情報）（送信先番号「１」情報、送信先番号「２」情報、送信先番号「３」情報）に対応する送信先情報が記憶されている。
【００２３】
処理装置１５１には、イメージ情報変換手段１５１Ａ、テキスト情報変換手段１５１Ｂ、音声情報変換手段１５１Ｃ、記入情報判別情報１５１Ｄ、送信先情報抽出手段１５１Ｅ、送信手段１５１Ｆを有している。
イメージ情報変換手段１５１Ａは、デジタルペン１００（通信装置１０６）から端末装置であるパソコン（通信装置１１６、１１５）を介して通信装置１５５で受信した筆跡情報（位置情報，時間情報）をイメージ情報に変換する。「イメージ情報」は、デジタル化された画像情報（例えば、ビットマップ情報）を意味する。筆跡情報をイメージ情報に変換する方法としては、筆跡情報を構成している一連の撮像情報を、撮像情報に含まれているドットパターンに対応する位置（絶対位置）を示す位置情報（絶対位置情報）と時間情報を含む位置・時間情報（位置情報，時間情報）に変換し、ドットを、位置・時間情報（位置情報時間情報）の位置情報で示される位置に、時間情報で示される時間順に配置する方法を用いることができる。
テキスト情報変換手段１５１Ｂは、テキスト情報変換ファイル１５２Ｂに記憶されている情報を用いて、イメージ情報をテキスト情報に変換する。
音声情報変換手段１５１Ｃは、音声情報変換ファイル１５２Ｃに記憶されている情報を用いて、テキスト情報を音声情報に変換する。
記入情報判別手段１５１Ｄは、デジタルペン１００を用いて送信情報記入用紙１０の記入面１０Ａに設けられている各記入エリアに記入され情報を判別する。記入情報判別手段は、送信情報判別手段１５１Ｄａと送信先情報参照情報判別手段１５１Ｄｂを有している。送信情報判別手段１５１Ｄａは、イメージ情報変換手段１５１Ａで変換されたイメージ情報（場合によっては、テキスト情報変換手段１５１Ｂで変換されたテキスト情報）と、エリアファイル１５２Ａに記憶されている、送信情報記入用紙１０のエリア定義情報に基づいて、送信情報記入用紙１０の記入面１０Ａに設けられている送信情報記入エリア１５に記入された送信情報を判別する。また、送信先情報参照情報判別手段１５１Ｄは、イメージ情報変換手段１５１Ａで変換されたイメージ情報（場合によっては、テキスト情報変換手段１５１Ｂで変換されたテキスト情報）と、エリアファイル１５２Ａに記憶されている、送信情報記入用紙１０のエリア定義情報に基づいて、送信情報記入用紙１０の記入面１０Ａに設けられている送信者識別情報記入エリア１２に記入された送信者識別情報、送信種別情報記入エリア１３（ＦＡＸ送信種別情報記入エリア１３Ａ、メール送信種別情報記入エリア１３Ｂ、音声送信種別情報記入エリア１３Ｃ）に記入された送信種別情報（ＦＡＸ送信種別情報、メール送信種別情報、音声送信種別情報）、送信先番号記入エリア（送信先識別情報記入エリア）１４（送信先番号「１」情報記入エリア１４Ａ、送信先番号「２」情報記入エリア１４Ｂ、送信先番号「３」情報記入エリア１４Ｃ）に記入された送信先番号情報（送信先識別情報）（送信先番号「１」情報、送信先番号「２」情報、送信先番号「３」情報）を判別する。
送信先情報抽出手段１５１Ｅは、送信先情報参照情報判別手段１５１Ｄｂで判別した送信先情報参照情報（送信者識別情報、送信種別情報、送信先番号情報）に対応する送信先情報を送信先ファイル１５２Ｄから抽出する。
送信手段１５１Ｆは、送信情報判別手段１５１Ｄａで判別した送信情報を、送信先情報抽出手段１５１Ｅで抽出した送信先情報で示される送信先に、送信先情報参照情報判別手段１５１Ｄｂで判別した送信種別情報で示される送信種別で、通信装置１５５から送信する。この時、送信種別情報がＦＡＸ送信種別情報である場合には、イメージ情報の形式の送信情報を送信し、送信種別情報がメール送信種別情報である場合には、テキスト情報の形式の送信情報を送信し、送信種別情報が音声送信種別情報である場合には、音声情報の形式の送信情報を送信する。
【００２４】
次に、第１の実施の形態の動作を説明する。
デジタルペン１００の動作を、図７に示されているフローチャートを用いて説明する。図７に示されている処理は、例えば、開始信号の入力によって開始される。
ステップＡ１では、デジタルペン１００を用いて送信情報記入用紙１０の記入面１０Ａに設けられている各記入エリアに情報を記入している時、筆記具１０１の先端部分近傍のビットパターンを設定時間間隔でカメラ１０３で撮影した撮像情報が筆跡情報（ストローク情報）として記憶装置１０５に記憶される。
送信情報記入用紙１０の記入面１０Ａへの記入が終了して送信指示信号が入力されると、ステップＡ２で、通信装置１０６からパソコン１１０（通信装置１１６、１１５）を介してＰＬＳサーバ１４０（通信装置１４５）に、送信情報記入用紙１０に記入された情報を処理するＡＳＨサーバ１５０のアドレス情報要求信号が送信される。アドレス情報送信要求信号には、筆跡情報として記憶装置１０５に記憶されている、ドットパターンを撮影した撮像情報が少なくとも１つ含まれている。
ステップＡ３では、ＰＬＳサーバ１４０（通信装置１４５）から送信された、ＡＳＨサーバ１５０のアドレス情報を、パソコン１１０（通信装置１１５、１１６）を介して通信装置１０６で受信する。
ステップＡ４では、記憶装置１０５に記憶されている筆跡情報（ストローク情報）を、ステップＡ３で受信したアドレス情報を有するＡＳＨサーバ１５０に、通信装置１０６からパソコン１１０（通信装置１１６、１１５）を介して送信する。その後、処理を終了する。
【００２５】
次に、ＰＬＳサーバ１４０の動作を、図８に示されているフローチャートを参照して説明する。図８に示されている処理は、例えば、デジタルペン１００からの接続要求によって開始される。
ステップＢ１では、デジタルペン１００から送信された、送信情報記入用紙１０に記入された情報を処理するＡＳＨサーバ１５０のアドレス情報要求信号を受信する。
ステップＢ２では、送信情報記入用紙１０に記入された情報を処理するＡＳＨサーバ１５０のアドレス情報を、ＡＳＨサーバファイル１４２Ａから抽出して、通信装置１５５からパソコン１１０（通信装置１１５、１１６）を介してデジタルペン１００（通信装置１０６）に送信する。ＡＳＨサーバのアドレス情報を抽出する方法としては、例えば、ＡＳＨサーバのアドレス情報要求信号に含まれている画像情報に基づいてドットパターンを判別するとともに、判別したドットパターンが印刷されている用紙の種別を示す用紙種別情報を判別し、判別した用紙種別情報に対応するＡＳＨサーバ１５０のアドレス情報をＡＳＨサーバファイル１４２Ａから抽出する。その後、処理を終了する。
【００２６】
次に、ＡＳＨサーバ１５０の動作を、図９に示されているフローチャートを参照して説明する。図９に示されている処理は、例えば、デジタルペン１００からの接続要求によって開始される。
ステップＣ１では、デジタルペン１００（通信装置１０６）から送信された筆跡情報（ストローク情報）を、端末装置であるパソコン１１０（通信装置１１６、１１５）を介して通信装置１５５で受信する。
ステップＣ２では、ステップＣ１で受信した筆跡情報（ストローク情報）をイメージ情報に変換する。ステップＣ２では、イメージ情報変換手段１５１Ａにより、筆跡情報と、エリアファイル１５２Ａに記憶されている、送信情報用紙１０に対応するエリア定義情報に基づいて、前述した方法で、送信情報記入用紙１０の各記入エリアに記入された情報のイメージ情報を得る。
ステップＣ３では、送信情報記入用紙１０の送信種別情報記入エリア１３に記入された送信種別情報がＦＡＸ送信種別情報であるか否かを判断する。本実施の形態では、ステップＣ２で変換されたイメージ情報に、ＦＡＸ送信種別情報記入エリア１３Ａのイメージ情報が含まれているか否かによって、ＦＡＸ送信種別情報記入エリア１３Ａにチェック記号が記入されたか否かを判別することができる。送信種別情報記入エリア１３に記入された送信種別情報がＦＡＸ送信種別情報である場合にはステップＣ４に進み、ＦＡＸ送信種別情報でない場合にはステップＣ７に進む。なお、送信種別情報を構成する文字情報が送信種別情報記入エリア１３に記入される場合には、テキスト情報変換手段１５１Ｂにより、送信種別情報記入エリア１３のイメージ情報をテキスト情報に変換し、変換したテキスト情報がＦＡＸ送信種別情報であるか否かを判断する。
ステップＣ４では、イメージ情報をテキスト情報に変換する。ステップＣ４では、送信先情報参照情報が判別可能となるように、必要な記入エリアのイメージ情報をテキスト情報に変換する。本実施の形態では、送信種別情報記入エリア１３（１３Ａないし１３Ｃ）に記入された送信種別情報と送信先番号情報記入エリア１４（１４Ａ〜１４Ｃ）に記入された送信先番号情報（送信先識別情報）はイメージ情報の形式で判別することができるが、送信者識別情報記入エリア１２に記入された送信者識別情報はテキスト情報の形式でないと判別することができない。したがって、本実施の形態では、ステップＣ４では、送信者識別情報記入エリア１２のイメージ情報をテキスト情報に変換する。また、ＦＡＸ送信種別では、送信情報はイメージ情報の形式で送信されるため、送信情報記入エリア１５のイメージ情報はテキスト情報に変換する必要はない。
ステップＣ５では、送信先情報参照情報（送信者識別情報・ＦＡＸ送信種別情報・送信先番号情報）に対応する送信先情報を送信先ファイル１５２Ｄから抽出する。
ステップＣ６では、送信種別情報がＦＡＸ送信種別情報であるため、ステップＣ２で得たイメージ情報の形式の送信情報を、ステップＣ５で抽出した送信先情報で示される送信先に通信装置１５５から送信する。その後、処理を終了する。
【００２７】
ステップＣ７では、送信情報記入用紙１０の送信種別情報記入エリア１３に記入された送信種別情報がメール送信種別情報であるか否かを判断する。本実施の形態では、ステップＣ２で変換されたイメージ情報に、メール送信種別情報記入エリア１３Ｂのイメージ情報が含まれているか否かによって、メール送信種別情報記入エリア１３Ｂにチェック記号が記入されたか否かを判別することができる。送信種別情報記入エリア１３に記入された送信種別情報がメール送信種別情報である場合にはステップＣ８に進み、メール送信種別情報でない場合にはステップＣ１１に進む。
ステップＣ８では、イメージ情報をテキスト情報に変換する。ステップＣ８では、送信先情報参照情報が判別可能となるように、必要な記入エリアのイメージ情報をテキスト情報に変換する。本実施の形態では、前述したように、送信種別情報と送信先番号情報はイメージ情報の形式で判別することができるが、送信者識別情報はテキスト情報の形式でないと判別することができない。したがって、本実施の形態では、ステップＣ８では、送信者識別情報記入エリア１２のイメージ情報をテキスト情報に変換する。なお、メール送信種別では、送信情報はテキスト情報の形式で送信される。このため、ステップＣ８において、送信情報記入エリア１５のイメージ情報もテキスト情報に変換するのが好ましい。勿論、送信情報をテキスト情報に変換するタイミングは適宜設定することができる。
ステップＣ９では、送信先情報参照情報（送信者識別情報・メール送信種別情報・送信先番号情報）に対応する送信先情報を送信先ファイル１５２Ｄから抽出する。
ステップＣ１０では、送信種別情報がメール送信種別情報であるため、ステップＣ８で得たテキスト情報の形式の送信情報を、ステップＣ９で抽出した送信先情報で示される送信先に通信装置１５５から送信する。その後、処理は終了する。
【００２８】
ステップＣ１１では、送信情報記入用紙１０の送信種別情報記入エリア１３に記入された送信種別情報が音声送信種別情報であるか否かを判断する。本実施の形態では、ステップＣ２で変換されたイメージ情報に、音声送信種別情報記入エリア１３Ｃのイメージ情報が含まれているか否かによって、メール送信種別情報記入エリア１３Ｃにチェック記号が記入されたか否かを判別することができる。送信種別情報記入エリア１３に記入された送信種別情報が音声送信種別情報である場合にはステップＣ１２に進み、メール送信種別情報でない場合には処理を終了する。
ステップＣ１２では、イメージ情報をテキスト情報に変換する。ステップＣ１２では、送信先情報参照情報が判別可能となるように、必要な記入エリアのイメージ情報をテキスト情報に変換すればよい。本実施の形態では、前述したように、送信種別情報と送信先番号情報はイメージ情報の形式で判別することができるが、送信者識別情報はテキスト情報の形式でないと判別することができない。したがって、本実施の形態では、ステップＣ１２では、送信者識別情報記入エリア１２のイメージ情報をテキスト情報に変換する。なお、音声送信種別では、送信情報は音声情報の形式で送信される。このため、ステップＣ１１において、送信情報記入エリア１５のイメージ情報もテキスト情報に変換するのが好ましい。
ステップＣ１３では、テキスト情報を音声情報に変換する。ステップＣ１３では、ステップＣ１２で得たテキスト情報の形式の送信情報を音声情報の形式の送信情報に変換する。
ステップＣ１４では、送信先情報参照情報（送信者識別情報・音声送信種別情報・送信先番号情報）に対応する送信先情報を送信先ファイル１５２Ｄから抽出する。
ステップＣ１５では、送信種別情報が音声送信種別情報であるため、ステップＣ１３で得た音声情報の形式の送信情報を、ステップＣ１４で抽出した送信先情報で示される送信先に通信装置１５５から送信する。その後、処理は終了する。
【００２９】
第１の実施の形態では、デジタルペン１００から送信された筆跡情報を、パソコン１１０を介して管理装置１６０に送信したが、デジタルペン１００から送信された筆跡情報を中継する端末装置はパソコン１１０に限定されない。
デジタルペン１００から送信された筆跡情報を、携帯電話機１２０を介して管理装置１６０に送信する第２の実施の概略構成が図１０に示されている。本実施の形態の情報送信装置は、送信情報記入用紙１０、デジタルペン１００、携帯電話機１２０、管理装置１６０により構成されている。本実施の形態では、デジタルペン１００から送信される筆跡情報を中継する端末装置として携帯電話機１２０が用いられている点を除いて第１の実施の形態と同じ構成である。
携帯電話機１２０は、処理装置１２１、記憶装置１２２、表示装置１２３、入力装置１２４、通信装置１２５、１２６を有している。
処理装置１２１は、携帯電話機１２０全体の動作を管理する。例えば、デジタルペン１００（通信装置１０６）から送信された筆跡情報等を通信装置１２６で受信し、通信装置１２６で受信した筆跡情報を通信装置１２５から無線通信回線Ｄ、通信回線Ｌを介して管理装置１６０（ＰＬＳサーバ１４０の通信装置１４５、ＡＳＨサーバ１５０の通信装置１５５）に送信する処理を実行する。あるいは、管理装置１６０（ＰＬＳサーバ１４０の通信装置１４５、ＡＳＨサーバ１５０の通信装置１５５）から送信された情報を通信装置１２５で受信し、通信装置１２５で受信した情報を、通信装置１２６からデジタルペン１００（通信装置１０６）に送信する処理を実行する。
本実施の形態では、携帯電話機１２０が本発明の「端末装置」に対応し、処理装置１２１が本発明の「端末装置用処理手段」に対応し、通信装置１２６が本発明の「端末装置用第１の通信手段」に対応し、通信装置１２５が本発明の「端末装置用第２の通信手段」に対応する。
通信装置１２５としては、無線通信回線Ｄおよび通信回線Ｌを介して管理装置１６０（ＰＬＳサーバ１４０、ＡＳＨサーバ１５０）や他の通信機器（パソコン２１０、ファクシミリ２２０、電話機２３０、携帯電話機２４０）等と通信可能な通信装置が用いられる。典型的には、携帯電話無線通信装置が用いられる。通信装置１２６としては、パソコン１１０の通信装置１１６と同様に、近距離無線通信回線Ｂあるいは通信線Ｃを介してデジタルペン１００の通信装置１０６と通信を行う通信装置が用いられる。
本実施の形態では、携帯電話機１２０が本発明の「端末装置」に対応し、処理装置１２１が本発明の「端末装置用処理手段」に対応し、通信装置１２６が本発明の「端末装置用第１の通信手段」に対応し、通信装置１２５が本発明の「端末装置用第２の通信手段」に対応する。
【００３０】
送信者識別情報を入力する他の実施例を、図１１を参照して説明する。図１１には、送信者が携帯する認証カード３０が示されている。認証カード３０には、送信者識別情報記入エリア３１に、送信者毎に異なる組み合わせの複数のビットパターンが印刷されている。ビットパターンは、送信情報記入用紙１０に印刷されているビットパターンと同様の方法で印刷される。
認証カード３０を用いて送信者識別情報（認証情報）を入力する場合には、例えば、ＡＳＨサーバ１５０の記憶装置１５２に認証ファイルを記憶させる。認証ファイルには、送信者が携帯している認証カード３０に設けられている送信者識別情報記入エリア３１に印刷されているビットパターンが送信者識別情報に対応させて記憶されている。
送信者識別情報を入力する際には、送信者は、デジタルペン１００を用いて認証カード３０の送信者識別情報記入エリア３１にチェック記号等を記入する。そして、検出した筆跡情報をデジタルペン１００の通信装置１０６から端末装置を介してＡＳＨサーバ１５０に送信する。ＡＳＨサーバ１５０の処理装置１５１は、通信装置１５５で受信した筆跡情報から、認証カード３０に印刷されているビットパターンを撮影した撮像情報を少なくとも一つ抽出し、撮像情報に含まれているビットパターンを判別する。そして、判別したビットパターンと認証ファイルに記憶されているビットパターンが一致している場合には、認証ＯＫであると判断し、次の処理に移行する。一方、一致していない場合には、認証ＮＧであると判断し、次の処理への移行を中止する。
【００３１】
送信者識別情報を入力する他の実施例を、図１２を参照して説明する。図１２には、送信者が携帯する認証カード６０が示されている。認証カードには、送信者識別情報機記入エリア６１〜６４が設けられており、送信者識別情報記入エリア６１〜６４には異なるビットパターンＢ１１、Ｂ２２、Ｂ３３、Ｂ４４が印刷されている。ビットパターンＢ１１、Ｂ２２、Ｂ３３、Ｂ４４としては、任意のビットパターン５０を所定数のビットパターンに分割した分割ビットパターンを用いる。図１２では、ビットパターン５０をｎ×ｍ個に分割した分割ビットパターンＢ１１〜Ｂｍｎの中から任意に選択した４個のビットパターンを用いている。
認証カード６０用いて送信者識別情報（認証情報）を入力する場合には、例えば、ＡＳＨサーバ１５０の記憶装置１５２に認証ファイルを記憶させる。認証ファイルには、送信者が携帯している認証カード６０に設けられている送信者識別情報記入エリア６１〜６４に印刷されているビットパターンの組み合わせが、送信者識別情報に対応させて記憶されている。
送信者識別情報を入力する場合には、デジタルペン１００を用いて、認証カード６０の送信者識別情報記入エリア６１〜６４に、定められた順（例えば、右から左）にチェック記号を記入する。そして、送信者識別情報記入エリア６１〜６４に印刷されているビットパターンをカメラ１０３で撮影した撮像情報により構成される筆跡情報を、デジタルペン１００の通信装置１０６から端末装置を介してＡＳＨサーバ１５０に送信する。ＡＳＨサーバ１５０の処理装置１５１は、通信装置１５５で受信した筆跡情報から、認証カード６０の送信者識別情報記入エリア６１〜６４それぞれに印刷されているビットパターンを撮影した撮像情報を少なくとも一つずつ抽出し、送信者識別情報記入エリア６１〜６４に印刷されているビットパターンの組み合わせを判別する。そして、判別したビットパターンの組み合わせと、認証ファイルに記憶されているビットパターンの組み合わせが一致するか否かを判別し、一致している場合にのみ次の処理に移行する。
【００３２】
また、送信者識別情報を入力する他の実施例として、前述したビットパターンが印刷された送信者情報記入用紙あるいは認証カードに、送信者識別情報を構成可能な文字情報に対応する部分送信者識別情報記入エリアを設け、送信者識別情報を構成する文字情報に対応する部分送信者識別情報記入エリアに、文字情報の出現順にチェック記号を記入する方法を用いることができる。例えば、送信者識別情報が数字で構成される場合、数字０〜９に対応する数字「０」記入エリア〜数字「９」記入エリア（部分送信者識別情報記入エリア）を設ける。そして、送信者識別情報が「１２３」である場合には、送信者は、数字「１」記入エリア、数字「２」記入エリア、数字「３」記入エリアの順にチェック記号を記入する。この場合、例えば、ＡＳＨサーバ１５０の処理装置１５１は、デジタルペン１００から受信した筆跡情報に基づいて、数字「１」記入エリア、数字「２」記入エリア、数字「３」記入エリアの順に記入されたこと、すなわち送信者識別情報「１２３」が記入されたことを判別し、認証ファイルに送信者識別情報「１２３」が記憶されているか否かを判断することによって認証を行う。
【００３３】
以上の説明では、ＰＬＳサーバ１４０とＡＳＨサーバ１５０により構成される管理装置１６０を用いたが、ＰＬＳサーバ１４０の処理とＡＳＨサーバ１５０の処理を実行する一つの管理サーバ（管理サーバ用処理手段、管理サーバ用記憶手段、管理サーバ用通信手段を有する）により構成される管理装置を用いることもできる。この場合には、エリアファイルに、エリア定義情報を用紙種別情報に対応させて記憶させる。そして、デジタルペン１００から受信した筆跡情報を構成する画像情報に含まれているビットパターンを判別し、判別したビットパターンが印刷されている用紙の用紙種別情報に対応するエリア定義情報に基づいて、用紙に設けられている記入エリアに記入された情報の判別処理等（用紙の処理）を実行する。
また、用紙の処理を管理装置１６０により実行したが、管理装置１６０の処理をデジタルペン１００の処理装置１０１で実行するように構成することもできる。この場合には、エリアファイルに、エリア定義情報を用紙種別情報に対応させて記憶させる。そして、筆跡情報を構成する画像情報に含まれているビットパターンを判別し、判別したビットパターンが印刷されている用紙の用紙種別情報に対応するエリア定義情報に基づいて、用紙に設けられている記入エリアに記入された情報の判別処理等（用紙の処理）を実行する。
【００３４】
以上説明したように、本発明は、デジタルペン１００を用いて、送信情報記入用紙１０に設けられている送信者識別情報記入エリア１２、送信種別情報記入エリア１３（１３Ａ〜１３Ｃ）、送信先識別情報記入エリア１４（１４Ａ〜１４Ｃ）、送信情報記入エリア１５に、手書き入力の感覚で送信者識別情報、送信種別情報、送信先識別情報、送信情報を記入することによって、簡単に、所望の送信情報を、所望の送信種別で、所望の送信先に送信することができる。
これにより、端末装置の入力キーの操作に不慣れな利用者であっても簡単に送信情報を送信することができる。
【００３５】
本発明は、実施の形態で説明した構成に限定されず、種々の変更、追加、削除が可能である。
筆跡情報に基づいて送信情報記入用紙１０の各記入エリアに記入された情報を判別する方法は、実施の形態で説明した方法に限定されない。
作業情報記入用紙１０に記入する情報は、適宜選択可能である。例えば、送信種別情報と送信先識別情報を記入したが、送信先情報が１つの場合には、送信種別情報のみを入力してもよい。送信種別情報として、ＦＡＸ送信種別情報、メール送信種別情報、音声送信種別情報を記入可能に構成したが、これらの送信種別情報のうちの１つあるいは２つの送信種別を記入可能に構成することもできる。また、送信種別が定められている場合には、送信種別情報の記入を省略することもできる。
送信先情報参照情報として送信者識別情報、送信種別情報、送信先識別情報を用いたが、送信種別情報や送信先識別情報は省略することもできる。
デジタルペンとしては、実施の形態で説明した構成のデジタルペンに限定されず、種々の構成のデジタルペンを用いることができる。この場合、管理装置の処理方法は、デジタルペンの仕様に応じて変更される。
送信情報記入用紙１０の構成は、実施の形態で説明した構成に限定されない。
デジタルペンからの筆跡情報を管理装置に送信する端末装置としては、パソコン、携帯電話機に限定されず、携帯端末装置（ＰＤＡ）等の種々の端末装置を用いることができる。
【符号の説明】
【００３６】
１０  送信情報記入用紙
１１  タイトル情報記入エリア
１２  送信者識別情報記入エリア
１３  送信種別情報記入エリア
１４  送信先番号情報（送信先識別情報）記入エリア
１５  送信情報記入エリア
１００  デジタルペン
１０１  筆記具
１０２  筆圧センサ
１０３  カメラ（撮像装置）
１０４  処理装置（デジタルペン用処理手段）
１０５  記憶装置（デジタルペン用記憶手段）
１０６  通信装置（近距離無線通信装置）
１１０  パソコン（端末装置）
１２０  携帯電話機（端末装置）
１４０  ＰＬＳサーバ
１４１  処理装置（ＰＬＳサーバ用処理手段）
１４２  記憶装置（ＰＬＳサーバ用記憶手段）
１４５  通信装置（ＰＬＳサーバ用通信手段）
１５０  ＡＳＨサーバ
１５１  処理装置（ＡＳＨサーバ用処理手段）
１５２  記憶装置（ＡＳＨサーバ用記憶手段）
１５５  通信装置（ＡＳＨサーバ用通信手段）
１６０  管理装置
【図１】
2010239247.tif 000003
【図２】
2010239247.tif 000004
【図３】
2010239247.tif 000005
【図４】
2010239247.tif 000006
【図５】
2010239247.tif 000007
【図６】
2010239247.tif 000008
【図７】
2010239247.tif 000009
【図８】
2010239247.tif 000010
【図９】
2010239247.tif 000011
【図１０】
2010239247.tif 000012
【図１１】
2010239247.tif 000013
【図１２】
2010239247.tif 000014